(57)【特許請求の範囲】
【請求項１】
原稿の画像データを読み取る画像データ読み取り部と、
前記読み取り部により読み取った画像データを蓄積する画像データ蓄積部を有する画像読み取り装置において、
ネットワークに接続されたブラウザにＨＴＴＰプロトコルにより接続可能なウェブサーバー部を有し、
前記ウェブサーバー部は、前記画像データ蓄積部に蓄積された各画像データを読み出してＨＴＭＬ形式のファイルリストを形成し、このファイルリストをメール形式にて前記ブラウザへ送信し、前記ブラウザが前記ファイルリストから選択したファイルを前記画像データ蓄積部から読み出してサーバ形式にて前記ブラウザへ送信することを特徴とする画像読み取り装置。
【請求項２】
原稿の画像データを読み取る画像データ読み取り部と、
前記読み取り部により読み取った画像データを蓄積する画像データ蓄積部を有する画像読み取り装置において、
ネットワークに接続されたブラウザにＨＴＴＰプロトコルにより接続可能なウェブサーバー部を有し、
前記ウェブサーバー部は、前記画像データ蓄積部に蓄積された各画像データを読み出してＨＴＭＬ形式のクリッカブルマップを形成し、このクリッカブルマップをメール形式にて前記ブラウザへ送信し、前記ブラウザが前記クリッカブルマップから選択したファイルを前記画像データ蓄積部から読み出してサーバ形式にて前記ブラウザへ送信することを特徴とする画像読み取り装置。
【発明の詳細な説明】
【０００１】
【発明の属する技術分野】
本発明は、インターネットなどのネットワークに接続されて使用されるネットワークスキャナ装置に関する。
【０００２】
【従来の技術】
ネットワークに接続されて使用されるネットワークスキャナ装置では、通常、特殊なプロトコルやＦＴＰプロトコルを用いたり、特殊なクライアントソフトウェアを使用して、ネットワークスキャナ装置のスキャナ機構で読み取られたイメージデータをネットワーク上に送出している。
【０００３】
【発明が解決しようとする課題】
ところで、このような従来のネットワークスキャナ装置では、特殊なクライアントソフトウェアを作り、ファイル形式でパラメータを設定しなければならないことから、使い勝手が悪いという問題があった。
さらに、従来のネットワークスキャナ装置では、スキャナ機構で読み取られたイメージデータを蓄積しておくことができないという問題があった。
本発明は上記の事情に鑑みてなされたものであり、マウスなどのポインティングデバイスを使用した選択方式でパラメータを設定することができ、これによって使い勝手を大幅に向上させることができるとともに、スキャナ機構で読み取られたイメージデータを蓄積しておき、ファイルリストをメール形式でネットワーク上に送出し、転送要求があったイメージデータのみをサーバ形式でネットワーク上に送出することができるネットワークスキャナ装置を提供することを目的としている。
また、本発明は、マウスなどのポインティングデバイスを使用した選択方式でパラメータを設定することができ、これによって使い勝手を大幅に向上させることができるとともに、スキャナ機構で読み取られたイメージデータを蓄積しておき、クリッカブルマップをメール形式でネットワーク上に送出し、転送要求があったイメージデータのみをサーバ形式でネットワーク上に送出することができるネットワークスキャナ装置を提供することを目的としている。
【０００４】
【課題を解決するための手段】
上記の目的を達成するために、請求項１に係る発明は、原稿の画像データを読み取る画像データ読み取り部と、前記読み取り部により読み取った画像データを蓄積する画像データ蓄積部を有する画像読み取り装置において、ネットワークに接続されたブラウザにＨＴＴＰプロトコルにより接続可能なウェブサーバー部を有し、前記ウェブサーバー部は、前記画像データ蓄積部に蓄積された各画像データを読み出してＨＴＭＬ形式のファイルリストを形成し、このファイルリストをメール形式にて前記ブラウザへ送信し、前記ブラウザが前記ファイルリストから選択したファイルを前記画像データ蓄積部から読み出してサーバ形式にて前記ブラウザへ送信するものである。
請求項２に係る発明は、原稿の画像データを読み取る画像データ読み取り部と、前記読み取り部により読み取った画像データを蓄積する画像データ蓄積部を有する画像読み取り装置において、ネットワークに接続されたブラウザにＨＴＴＰプロトコルにより接続可能なウェブサーバー部を有し、前記ウェブサーバー部は、前記画像データ蓄積部に蓄積された各画像データを読み出してＨＴＭＬ形式のクリッカブルマップを形成し、このクリッカブルマップをメール形式にて前記ブラウザへ送信し、前記ブラウザが前記クリッカブルマップから選択したファイルを前記画像データ蓄積部から読み出してサーバ形式にて前記ブラウザへ送信するものである。
【０００５】
上記の構成により、請求項１に係る発明では、ファイルリストをメール形式でネットワーク上に送出し、転送要求があった画像データをサーバ形式で、ネットワーク上に送出可能である。
また、請求項２に係る発明では、クリッカブルマップをメール形式でネットワーク上に送出し、転送要求があった画像データをサーバ形式でネットワーク上に送出可能である。
【０００６】
【発明の実施の形態】
以下、本発明を図面に示した形態例に基づいて詳細に説明する。
《形態例の構成》
図１は本発明によるネットワークスキャナ装置の一形態例を示すブロック図である。
この図に示すネットワークスキャナ装置１は、インターネットなどのＷＷＷ（World Wide Web）に接続されたネットワーク２に接続され、ＷＷＷのブラウザ（インターネットなどにおいて、情報検索を行なう際に使用される閲覧ソフトウェア）と通信を行なうＨＴＴＰプロトコルを使用したネットワークスキャナサーバ部３と、原稿のイメージを読み取るイメージスキャナ機構（図示は省略する）の動作を制御するスキャナ制御部４と、スキャナ機構で得られたイメージデータを蓄積するデータ格納部５とを備えており、ＷＷＷのブラウザなどで、マウスなどのポインティングデバイスが使用されて選択方式で設定されたパラメータに基づき、原稿のイメージ読取動作で得られたイメージデータを蓄積する処理、ファイルリストを作成する処理、クリッカブルマップを作成する処理、これらの各処理で得られた内容やイメージデータをネットワーク２上に送出する処理などを行なう。
【０００７】
《形態例の動作》
次に、図１に示すブロック図を参照しながら、この形態例の動作について詳細に説明する。
＜パラメータ設定動作＞
まず、ネットワーク２を介して、ＷＷＷのブラウザがネットワークスキャナサーバ部３に接続されると、図２に示すようなフォームのパラメータ設定画面６が表示される。この状態で、マウスなどのポインティングデバイスが操作されて、解像度、紙サイズ、画像フォーマット、イメージデータを蓄積する／しない、クリッカブルマップの使用有無などの各種パラメータが設定された後、スキャンボタンが押されると、上記パラメータ設定画面６で設定されたパラメータ内容に基づき、ネットワークスキャナ装置１が動作する。
＜イメージを蓄積しないときの動作＞
パラメータ設定画面６によってイメージを蓄積しないことが選択されていれば、スキャンボタンが押されたとき、スキャナ制御部４によってスキャナ機構が制御されて、原稿がスキャンされ、これによって得られたイメージデータがパラメータ設定画面６によって指定された画像フォーマットでネットワーク２上に送出されて、ＷＷＷのブラウザに転送され、このブラウザまたはヘルパーによってイメージデータが画面表示されたり、ファイルとしてセーブされたりする。
【０００８】
＜イメージを蓄積し、クリッカブルマップを作成しないときの動作＞
パラメータ設定画面６によってイメージを蓄積することが選択されるとともに、クリッカブルマップを使用しないことが選択されていれば、スキャンボタンが押されたとき、スキャナ制御部４によってスキャナ機構が制御されて原稿がスキャンされ、これによって得られたイメージデータがパラメータ設定画面６によって指定された画像フォーマットでデータ格納部５にセーブされる。
この後、ネットワークスキャナサーバ部３によって上記データ格納部５にセーブされている各イメージデータのファイル名称などが読み出されて、図３に示す如く示すファイルリスト７が作成され、これがＨＴＭＬ形式のファイルリストデータ（ＨＴＴＰプロトコル上のメール）として、ＷＷＷのブラウザに転送される。
このブラウザによってマウスなどのポインティングデバイスが使用されて上記ネットワークスキャナ装置１から転送された上記ファイルリスト７の中から転送して貰いたいファイルが選択（クリック）されれば、ネットワークスキャナサーバ部３によって、データ格納部５に格納されている各ファイルのうち、上記ブラウザ側で指定されたファイルが読み出されて、これがＷＷＷのブラウザに転送され、このブラウザまたはまたはヘルパーによってイメージデータが画面表示されたり、ファイルとしてセーブされたりする。
【０００９】
＜イメージを蓄積し、クリッカブルマップを作成するときの動作＞
パラメータ設定画面６によってイメージを蓄積することが選択されるとともに、クリッカブルマップを使用することが選択されていれば、スキャンボタンが押されたとき、スキャナ制御部４によってスキャナ機構が制御されて、原稿がスキャンされ、これによって得られたイメージデータがパラメータ設定画面６によって指定された画像フォーマットでデータ格納部５にセーブされる。
この後、ネットワークスキャナサーバ部３によって上記データ格納部５にセーブされている各イメージデータの縮小イメージデータが作成されて、図４に示すようなクリッカブルマップ８が作成され、これがＨＴＭＬ形式のクリッカブルマップデータとして、ＷＷＷのブラウザに転送される。
このブラウザによってマウスなどのポインティングデバイスが使用されて上記ネットワークスキャナ装置１から転送された上記クリッカブルマップ８で表示されている各ファイルのうち、転送して貰いたいファイルが選択（クリック）されれば、ネットワークスキャナサーバ部３によって、データ格納部５に格納されている各ファイルのうち、上記ブラウザ側で指定されたファイルが読み出されて、これがＷＷＷのブラウザに転送され、このブラウザまたはまたはヘルパーによってイメージデータが画面表示されたり、ファイルとしてセーブされたりする。
【００１０】
《形態例の効果》
このように、この形態例においてはパラメータ設定画面６を使用し、マウスなどのポインティングデバイスを使用した選択方式でパラメータを設定することができ、これによって使い勝手を大幅に向上させることができるとともに、パラメータ設定画面６上でイメージを蓄積しないことが指定されているとき、スキャナ機構で読み取られたイメージデータを直接、サーバ形式でネットワーク２上に送出して、ＷＷＷのブラウザやヘルパーでこれを画面表示させたり、セーブさせたりすることができる。
また、この形態例では、パラメータ設定画面６上でイメージを蓄積し、クリッカブルマップ８を作成しないことが指定されているとき、スキャナ機構で読み取られたイメージデータを蓄積しておき、ファイルリスト７をメール形式でネットワーク２上に送出し、転送要求があったイメージデータのみをサーバ形式でネットワーク２上に送出して、ＷＷＷのブラウザやヘルパーでこれを画面表示させたり、セーブさせたりすることができる。
さらに、この形態例では、パラメータ設定画面６上で、イメージを蓄積し、クリッカブルマップ８を作成することが指定されているとき、スキャナ機構で読み取られたイメージデータを蓄積しておき、クリッカブルマップ８をメール形式でネットワーク２上に送出し、転送要求があったイメージデータのみをサーバ形式でネットワーク２上に送出して、ＷＷＷのブラウザやヘルパーでこれを画面表示させたり、セーブさせたりすることができる。
【００１１】
【発明の効果】
以上説明したように請求項１に係る発明では、ファイルリストをメール形式でネットワーク上に送出し、転送要求があった画像データをサーバ形式でネットワーク上に送出することができる。
また、請求項２に係る発明では、クリッカブルマップをメール形式でネットワーク上に送出し、転送要求があった画像データをサーバ形式でネットワーク上に送出することができる。
【図面の簡単な説明】
【図１】本発明によるネットワークスキャナ装置の一形態例を示すブロック図である。
【図２】図１に示すネットワークスキャナ装置のパラメータを設定する際に使用されるパラメータ設定画面例を示す模式図である。
【図３】図１に示すネットワークスキャナ装置で作成されるファイルリストの一例を示す模式図である。
【図４】図１に示すネットワークスキャナ装置で作成されるクリッカブルマップの一例を示す模式図である。
【符号の説明】
１…ネットワークスキャナ装置
２…ネットワーク
３…ネットワークスキャナサーバ部
４…スキャナ制御部
５…データ格納部
【図１】
0003648510.tif 000002
【図２】
0003648510.tif 000003
【図３】
0003648510.tif 000004
【図４】
0003648510.tif 000005